【事件の表示】
　特願２０１０−１４１６４３「携帯端末のメッセンジャー機能サポート方法及びこれを利用する携帯端末」拒絶査定不服審判事件〔平成２３年　１月　６日出願公開、特開２０１１−　　４４０４〕について、次のとおり審決する。
【結　論】
　本件審判の請求は、成り立たない。
【理　由】
１．手続の経緯
　本願は、平成２２年　６月２２日（パリ条約による優先権主張２００９年（平成２１年）　６月２２日　韓国）の出願であって、その手続の経緯は以下のとおりである。
　平成２６年　５月２８日付け：拒絶理由の通知
　平成２６年　９月　３日　　：意見書、手続補正書の提出
　平成２６年１０月３０日付け：拒絶査定
　平成２７年　３月　４日　　：審判請求書、手続補正書の提出
　平成２７年１０月　８日付け：当審による拒絶理由の通知
　平成２８年　１月１２日　　：意見書、手続補正書の提出
　本願の特許請求の範囲の請求項１に係る発明（以下、「本願発明」という。）は、平成２８年　１月１２日に提出された手続補正書により補正された明細書、特許請求の範囲及び図面の記載からみて、その特許請求の範囲の請求項１に記載された以下のとおりのものと認める。
「　携帯端末のメッセンジャー機能サポート方法であって、
　プレゼンスサーバーからメッセンジャーデータを受信する過程と、
　前記受信されたメッセンジャーデータから少なくとも１つの他の携帯端末の状態情報を抽出する過程と、
　前記抽出された状態情報を他の携帯端末別及び時間順に整列する過程と、
　前記整列された状態情報を履歴データとして保存する過程と、
　前記履歴データを閲覧（ビュー）するための入力信号を受信する過程と、
　前記入力信号の受信に応じて前記履歴データを表示部に出力する過程と、
　を含み、
　前記状態情報は、前記他の携帯端末からプレゼンスサーバーへのアクセスログ、前記他の携帯端末のユーザが選択したアイコンデータ、前記他の携帯端末のユーザが入力したコメントデータ、前記他の携帯端末の位置データのうち少なくとも１つを含み、
　前記履歴データを表示部に出力する過程は履歴ヴューワに直接アクセスできるホットキーを介して表示が可能であり、
　前記他の携帯端末は、前記携帯端末によって指定されるメッセンジャーグループに分類されることを特徴とする携帯端末のメッセンジャー機能サポート方法。」
２．引用発明
　これに対して、当審の拒絶理由で引用された文献であり、本願の優先権主張の日前に公開された、米国特許出願公開第２００７／０２３３８５９号明細書（２００７年１０月４日公開。以下、「引用例」という。）には、「METHOD AND APPARATUS FOR PROVIDING PRESENCE INFORMATION」（［当審仮訳］：プレゼンス情報を提供するための方法及び装置）の発明に関し、図面とともに以下の事項が記載されている。
イ．「FIELD OF THE INVENTION
[0002] The present invention is related to the Internet and radio communication and in particular to a method and an apparatus for providing presence information. 
BACKGROUND OF THE PRESENT INVENTION
[0003] Presence service is a communication service that collects and distributes presence information. At present, it is usually provided together with instant message services. It may also be provided alone or combined with other services like Internet game. International standardization organizations including the Internet Engineering Task Force (IETF) and the Open Mobile Alliance (OMA) have defined primary standards for presence service, which are in continuous improvement. The presence information includes status and communication address. The status and the communication address are defined in relevant standards, such as RFC 2778, “A Model for Presence and Instant Messaging”. The present invention references terms used in RFC 2778, naming the entity providing presence information for the presence service as a presentity client, and the entity requesting presence information from the presence service as a watcher client. 
[0004] At present, the presence service is applied in the following scenarios: 
[0005] 1. A user publishes user presence information. The user may publish the user presence information via application stored in his mobile phone or PC. For instance, the user publishes the presence information of ongoing meeting via the application by his mobile phone. 」（１頁左欄）
（［当審仮訳］：発明の技術分野
[0002] 本発明は、インターネット及び無線通信、特にプレゼンス情報を提供する方法及び装置に関する。
発明の背景
[0003] プレゼンスサービスは、プレゼンス情報を集めて配信する通信サービスである。現在のところ、それは、通常、インスタントメッセージサービスとともに提供される。それは、単独で、又は、インターネットゲームのような他のサービスと組み合わせて提供されることもある。インターネット技術タスクフォース（IETF）及びオープンモバイルアライアンス（OMA）を含む国際標準化団体はプレゼンスサービスの、継続的に改良される１次標準を定義した。プレゼンス情報は、ステータス及び通信アドレスを含む。ステータス及び通信アドレスは、RFC 2778「プレゼンス及びインスタントメッセージングのモデル」のような関連標準で定義される。本発明はRFC 2778で用いられる用語を引用し、プレゼンス情報をプレゼンスサーバーに提供するエンティティーをプレゼンティティークライアントと呼び、プレゼンス情報をプレゼンスサーバーにリクエストするエンティティーをウォッチャークライアントと呼ぶ。
[0004] 現時点で、プレゼンスサービスは以下のシナリオに適用される。
[0005] 1. あるユーザがユーザのプレゼンス情報を発行する。そのユーザは、自分のモバイル電話又はPCに保存されたアプリケーションによりユーザのプレゼンス情報を発行できる。例えば、そのユーザは、自分のモバイル電話のアプリケーションにより、開催中のミーティングのプレゼンス情報を発行できる。）
ロ．「[0015] As shown in  FIG. 3 , presence information usually includes multiple elements: status element, such as online, offline, busy, idle, leave, do-not-disturb, and location element; communication address element, indicating address information of the presentity client; other tag elements for extension of new status or tag, like mood and time zone information. The communication address element further includes: contact means elements, such as email, instant message and short message; contact address, like user account (e.g. email address or QQ account) and telephone number. The presentity client, the presence server or the watcher client stores the presence information and updates the presence information of the presentity. And the presence server or the watcher client changes the presence information if the presence information of the presentity is changed. 
[0016] Although the presence systems in the prior art (such as Microsoft MSN and Tencent QQ) and the standard proposed by IETF all provide rich presence information, the presence systems only collect and provide the latest presence information of a presentity. Watchers client, however, in various scenarios, need know history presence information of a presentity, such as location information and mood information over a past period. the presence systems in the prior art may not provide the presence information of the presentity client over a past period. The watchers client, therefore, can only know the latest presence information of a presentity from the presence server. They cannot obtain the history presence information of the presentity. In addition, the presentity client may not publish future presence information of the presentity to make the watcher know the future presence information of the presentity in advance, such as activities and locations of the presentity in future period of time. 」（１頁右欄）
（［当審仮訳］：[0015] 図３に示すように、プレゼンス情報は、通常、多数のエレメントを含む： オンライン、オフライン、ビジー、アイドル、離席、邪魔するな、ロケーションエレメント等のステータスエレメント；プレゼンティティークライアントのアドレス情報を示す通信アドレスエレメント；ムード（雰囲気）やタイムゾーン情報のような新しいステータス又はタグを拡張するためのその他のタグエレメント。通信アドレスエレメントは、さらに、ｅメール、インスタントメッセージ、ショートメッセージのようなコンタクト手段エレメント；ユーザアカウント（例えば、ｅメールアドレス、ＱＱアカウントなど）及び電話番号のようなコンタクトアドレスを含む。プレゼンティティークライアント、又は、プレゼンスサーバー、ウォッチャークライアントは、プレゼンス情報を保存し、プレゼンティティーのプレゼンス情報をアップデートする。加えて、プレゼンスサーバー、又は、ウォッチャークライアントは、プレゼンティティーのプレゼンス情報が変わると、プレゼンス情報を変更する。
[0016] 従来技術のプレゼンスシステム（例えば、Microsoft MSN 及びTencent QQなど）や、IETFによって提案された標準はいずれも豊富なプレゼンス情報を提供するけれども、プレゼンスシステムは、プレゼンティティーの最新のプレゼンス情報を単に集めて提供するだけである。しかしながら、様々なシナリオにおいて、ウォッチャークライアントは、プレゼンティティーの過去のある期間にわたっての、例えば、位置情報やムード（雰囲気）などの履歴プレゼンス情報を知る必要がある。従来技術のプレゼンスシステムは、プレゼンティティークライアントの過去のある期間にわたってのプレゼンス情報を提供しないかもしれない。それゆえ、ウォッチャークライアントは、プレゼンスサーバーからの、プレゼンティティーの最新のプレゼンス情報のみを知ることができる。プレゼンティティーの履歴プレゼンス情報を取得できない。加えて、プレゼンティティークライアントは、例えば、プレゼンティティーの将来の期間の活動（アクティビティー）や位置情報などの、プレゼンティティーの将来のプレゼンス情報を事前にウォッチャーに知らせる、該将来のプレゼンス情報を発行しないかもしれない。）
ハ．「[0039] ・・・（前略）・・・
The display module may display the current presence information and search for and display the history presence information according to an obtaining presence information request of the watcher client. The display module may also display multiple piece of history presence information and time information of each piece of history presence information, and the current presence information. The watcher client may preset the number of displaying history presence information of the presentity, if the number of history presence information of the presentity in the watcher client exceeds the number of displaying history presence information of the presentity preset by the watcher client, the watcher client displays multiple piece of history presence nearest to the current time according to the number of displaying history presence information of the presentity preset by the watcher client. 」（３頁左欄〜右欄）
（［当審仮訳］：[0039] ・・・（前略）・・・
表示モジュールは、ウォッチャークライアントのプレゼンス情報の取得要求に従って、現在のプレゼンス情報を表示するとともに、履歴プレゼンス情報を探して表示してもよい。表示モジュールは、多数の履歴プレゼンス情報、及び、各履歴プレゼンス情報の時間情報、現在のプレゼンス情報を表示してもよい。ウォッチャークライアントは、プレゼンティティーの履歴プレゼンス情報の表示数をプリセットしてもよく、もし、ウォッチャークライアントにおいて、プレゼンティティーの履歴プレゼンス情報の数が、プレゼンティティーの履歴プレゼンス情報の表示数であってウォッチャークライアントによってプリセットされた数を超える場合には、プレゼンティティーの履歴プレゼンス情報の表示数であってウォッチャークライアントによってプリセットされた数に従って、ウォッチャークライアントは現在時刻に最も近い多数の履歴プレゼンスを表示する。）
ニ．「[0047] Embodiment 1: the watcher client records history presence information, referred to as first presence information. 
[0048] As shown in  FIG. 6 , according to an embodiment of the present invention, a presence system includes a presentity client, a presence server and a watcher client. The presentity client and presence server are the same as that in the prior art. The watcher client, when receiving current presence information, stores history presence information and records the time of receiving the current presence information as the end time of the history presence information, and as the start time of the current presence information. The watcher client includes a storage module, which stores all presence information of the presentity received by the watcher client and time information of all presence information. 
[0049] Multiple pieces of history presence information which stored in the watcher client of a presentity may be simply displayed in tabular form in time sequence. To display the change process of these pieces of history presence information, a graphic display module may be set in the watcher client. The graphic display module generates graphs of all pieces of history presence information and time information of each piece of history presence information and displays the graphs on the watcher client. For some piece of history presence information which relates to number, such as stock information, the graph may take these pieces of history presence information and time information of these pieces of history presence information respectively as the x-coordinate and y-coordinate. If these pieces of history presence information are geographic location information, the graph is a map and the time information of these pieces of history presence information is marked at relevant geographic location points. The points may be connected by arrowed lines in time sequence to display the location change of the presentity. Furthermore, the watcher client may record part of pieces of history presence information of some presentities according to the configuration information. 」（４頁右欄）
（［当審仮訳］：[0047] 実施例１：ウォッチャークライアントは第１のプレゼンス情報である履歴プレゼンス情報を記録する。
[0048] 図６に示すように、本発明の１つの実施例によれば、プレゼンスシステムは、プレゼンティティークライアント、及び、プレゼンスサーバー、ウォッチャークライアントを含む。プレゼンティティークライアント、及び、プレゼンスサーバーは従来技術のものと同じである。ウォッチャークライアントは、現在のプレゼンス情報を受信すると、履歴プレゼンス情報を保存し、現在のプレゼンス情報を受信した時間を履歴プレゼンス情報の終了時間として、及び、現在のプレゼンス情報の開始時間として記録する。ウォッチャークライアントは、ウォッチャークライアントが受信したプレゼンティティーのすべてのプレゼンス情報及びすべてのプレゼンス情報の時間情報を保存するストレージモジュールを含む。
[0049] ウォッチャークライアントに保存されるプレゼンティティーの多数の履歴プレゼンス情報は単純に時系列に表形式で表示してもよい。これらの履歴プレゼンス情報が変化した過程を表示するために、ウォッチャークライアントにグラフィック表示モジュールが設けられてもよい。グラフィック表示モジュールは、すべての履歴プレゼンス情報及び各履歴プレゼンス情報の時間情報からなるグラフを生成し、ウォッチャークライアントでそのグラフを表示する。そのグラフは、株式情報のような数値に関連する履歴プレゼンス情報に対して、履歴プレゼンス情報と各履歴プレゼンス情報の時間情報をそれぞれｘ軸とｙ軸とするものでもよい。もし、それらの履歴プレゼンス情報が地理的位置の情報であるなら、そのグラフは地図であり、各履歴プレゼンス情報の時間情報は関連する地理的位置の地点にマークされる。それらの地点は、プレゼンティティーの位置の変化を表示するために、矢印により時系列に接続される。さらに、ウォッチャークライアントは、コンフィギュレーション情報に従って、いくつかのプレゼンティティーの履歴プレゼンス情報を部分的に記録してもよい。）
ホ．「[0094] The watcher client may display all presence information of a specific presentity received by the watcher client in a specified period of time. It may also display the change of presence information of a presentity in a specified period of time. 」（７頁右欄）
（［当審仮訳］：[0094] ウォッチャークライアントは、ウォッチャークライアントが特定の期間に受信した１つの特定のプレゼンティティーのすべてのプレゼンス情報を表示してもよい。特定の期間における１つのプレゼンティティーのプレゼンス情報の変化を表示してもよい。）
　上記引用例の記載及び図面並びにこの分野における技術常識を考慮すると、
ａ．上記イの［0002］、上記ニの［0048］、［0049］の記載によれば、引用例には、ウォッチャークライアントにプレゼンティティークライアントのプレゼンス情報を提供する方法が記載されている。
ｂ．上記ロの［0016］、上記ニの［0048］の記載によれば、上記方法では、ウォッチャークライアントがプレゼンスサーバーからプレゼンティティークライアントのプレゼンス情報を受信する。
　ここで、上記イの［0003］の記載によれば、プレゼンス情報は、通常、他のサービスと組み合わせて提供されるものであることが前提とされており、また、技術常識を考慮すると、受信にあたってはヘッダ情報などの必要な情報を加えた通信データが受信されるから、データとして、プレゼンス情報に加え、それ以外の情報も逐次受信され、受信されたデータからプレゼンス情報の抽出がなされることは明らかである。
　そうすると、プレゼンスサーバーからデータを受信し、前記受信されたデータからプレゼンティティークライアントのプレゼンス情報を抽出すると言える。
ｃ．上記ニの［0048］の記載によれば、プレゼンス情報を履歴プレゼンス情報として保存することは明らかである。
ｄ．上記ハの［0039］、上記ニの［0049］の記載によれば、プレゼンス情報の取得要求に従って前記履歴プレゼンス情報を時系列に表示することは明らかである。
ｅ．上記ホの［0094］の記載によれば、１つの特定のプレゼンティティークライアントのすべてのプレゼンス情報を表示してもよいことは明らかである。
ｆ．上記ニの［0049］の記載によれば、前記プレゼンス情報は、前記プレゼンティティークライアントの位置情報を含むことは明らかである。
　以上を総合すると、引用例には、以下の発明（以下、「引用発明」という。）が記載されているものと認める。
「　ウォッチャークライアントにプレゼンティティークライアントのプレゼンス情報を提供する方法であって、
　プレゼンスサーバーからデータを受信し、
　前記受信されたデータからプレゼンティティークライアントのプレゼンス情報を抽出し、
　前記プレゼンス情報を履歴プレゼンス情報として保存し、
　前記プレゼンス情報の取得要求に従って前記履歴プレゼンス情報を時系列に表示し、
　１つの特定のプレゼンティティークライアントのすべてのプレゼンス情報を表示してもよく、
　前記プレゼンス情報は、前記プレゼンティティークライアントの位置情報を含む、
方法。」
３．対比
　本願発明を引用発明と対比すると、
ａ．引用発明の「データ」と、本願発明の「メッセンジャーデータ」は「データ」である点で共通する。
ｂ．引用発明の「ウォッチャークライアント」と「プレゼンティティークライアント」が「装置」であることは明らかであって、本願発明の「携帯端末」は、いずれも「装置」である点で共通する。
　また、引用発明の「プレゼンティティークライアント」は、「ウォッチャークライアント」からみれば、「他の装置」と言える。
　さらに、引用発明の「プレゼンス情報」は、オンラインであるか、オフラインであるかなどの状態を示す情報である（摘記事項ロの［0015］）から、本願発明の「状態情報」に含まれる。
　そうすると、上記ａ．の検討を踏まえれば、引用発明の「前記受信された情報からプレゼンティティークライアントのプレゼンス情報を抽出」することと、本願発明の「前記受信されたメッセンジャーデータから少なくとも１つの他の携帯端末の状態情報を抽出する過程」とは、「前記受信されたデータから少なくとも１つの他の装置の状態情報を抽出する過程」である点で共通する。
ｃ．引用発明の「プレゼンス情報」は、受信、保存、表示など、通信、情報処理の対象となる情報である（摘記事項ロの［0015］）から、「データ」と言える情報であることは明らかである。
　そうすると、上記ａ．及びｂ．の検討を踏まえれば、引用発明の「前記プレゼンス情報を履歴プレゼンス情報として保存」することは、本願発明の「状態情報を履歴データとして保存する過程」に相当する。
ｄ．引用発明の「前記プレゼンス情報の取得要求」は、これに従って履歴プレゼンス情報の表示がなされるから、上記ｃ．の検討を踏まえれば、「履歴データ」を表示、すなわち、「閲覧（ビュー）」するための要求と言える。
　また、技術常識に照らせば、そのような要求が「入力信号」であること、及び、「表示」が「表示部に出力する」ことで行われることは明らかであるから、引用発明の「前記プレゼンス情報の取得要求に従って前記履歴プレゼンス情報を時系列に表示」することと、本願発明の「前記履歴データを閲覧（ビュー）するための入力信号を受信する過程と、前記入力信号の受信に応じて前記履歴データを表示部に出力する過程」とは、「前記履歴データを閲覧（ビュー）するための入力信号に応じて前記履歴データを表示部に出力する過程」である点で共通する。
ｅ．引用発明の「前記プレゼンス情報は、前記プレゼンティティークライアントの位置情報を含む」ことに関して、引用発明の「位置情報」は、本願発明の「位置データ」に相当するから、上記ｂ．の検討を踏まえれば、引用発明においても「前記状態情報」が前記他の装置の「位置データ」を含むと言える。
　ここで、本願発明の「状態情報」は、「前記状態情報は、前記他の携帯端末からプレゼンスサーバーへのアクセスログ、前記他の携帯端末のユーザが選択したアイコンデータ、前記他の携帯端末のユーザが入力したコメントデータ、前記他の携帯端末の位置データのうち少なくとも１つを含み」と選択的に特定されているから、「状態情報」として、上記「アクセスログ」、上記「アイコンデータ」、上記「コメントデータ」、上記「位置データ」のいずれか１つを含むものは、本願発明の「状態情報」に含まれる。
　そうすると、引用発明の「前記プレゼンス情報は、前記プレゼンティティークライアントの位置情報を含む」ことと、本願発明の「前記状態情報は、前記他の携帯端末からプレゼンスサーバーへのアクセスログ、前記他の携帯端末のユーザが選択したアイコンデータ、前記他の携帯端末のユーザが入力したコメントデータ、前記他の携帯端末の位置データのうち少なくとも１つを含」むことは、「前記状態情報は、前記他の装置からプレゼンスサーバーへのアクセスログ、前記他の装置のユーザが選択したアイコンデータ、前記他の装置のユーザが入力したコメントデータ、前記他の装置の位置データのうち少なくとも１つを含」む点で共通する。
　以上を総合すると、本願発明と引用発明とは、以下の点で一致ないし相違する。
（一致点）
「　方法であって、
　プレゼンスサーバーからデータを受信する過程と、
　前記受信されたデータから少なくとも１つの他の装置の状態情報を抽出する過程と、
　状態情報を履歴データとして保存する過程と、
　前記履歴データを閲覧（ビュー）するための入力信号に応じて前記履歴データを表示部に出力する過程と、
　を含み、
　前記状態情報は、前記他の装置からプレゼンスサーバーへのアクセスログ、前記他の装置のユーザが選択したアイコンデータ、前記他の装置のユーザが入力したコメントデータ、前記他の装置の位置データのうち少なくとも１つを含む、
　方法。」
（相違点１）
　本願発明の「方法」が「携帯端末のメッセンジャー機能サポート方法」であるのに対し、引用発明の「方法」は「ウォッチャークライアントにプレゼンティティークライアントのプレゼンス情報を提供する方法」である点。
（相違点２）
　一致点の「受信する」「データ」が、本願発明では、「メッセンジャーデータ」であるのに対し、引用発明では、単に「データ」であって、「メッセンジャーデータ」であることについて明示されていない点。
（相違点３）
　一致点の「装置」が、本願発明では、「携帯端末」であるのに対し、引用発明では、「ウォッチャークライアント」、「プレゼンティティークライアント」であって、これらが「携帯端末」であることについて明示されていない点。
（相違点４）
　一致点の「履歴データとして保存する」する「状態情報」に関し、本願発明は「前記抽出された状態情報を他の携帯端末別及び時間順に整列する過程」をさらに有し、「前記整列された状態情報を履歴データとして保存する」のに対し、引用発明では、「前記プレゼンス情報を履歴プレゼンス情報として保存」する点。
（相違点５）
　「前記履歴データを表示部に出力する過程」に関し、本願発明は、「前記履歴データを閲覧（ビュー）するための入力信号を受信する過程」をさらに有し、「前記入力信号の受信に応じて」「前記履歴データを表示部に出力」し、「履歴ヴューワに直接アクセスできるホットキーを介して表示が可能であ」るのに対し、引用発明は「前記プレゼンス情報の取得要求に従って前記履歴プレゼンス情報を時系列に表示し、１つの特定のプレゼンティティークライアントのすべてのプレゼンス情報を表示してもよ」い点。
（相違点６）
　一致点の「他の装置」が、本願発明では、「前記携帯端末によって指定されるメッセンジャーグループに分類される」のに対し、引用発明では、「ウォッチャークライアント」「によって指定されるメッセンジャーグループに分類される」ことについて明示されていない点。
４．検討
　上記相違点１〜３について検討する。
　引用例には、引用発明の前提となる背景技術として、プレゼンスサービスがインスタントメッセージサービスとともに提供されること、プレゼンス情報はモバイル電話のアプリケーションにより発行できることなどが記載されている（摘記事項イの［0003］、［0005］）。
　これらの記載は、引用発明の前提構成となるクライアントとしてモバイル電話を適用できること、また、引用発明のプレゼンス情報をインスタントメッセージサービスにおいて提供できることを示唆するものと言える。
　してみれば、引用発明の「ウォッチャークライアント」、「プレゼンティティークライアント」として「携帯端末」を適用すること（相違点３）、また、引用発明の「プレゼンス情報」を、「メッセンジャー機能」において、該「機能」をサポートするものとして提供するようにし、引用発明を「携帯端末のメッセンジャー機能サポート方法」とすること（相違点１）は格別困難な事項とは言えない。
　この場合に、引用発明の「プレゼンス情報」が、単にメッセンジャー機能におけるデータ、すなわち、メッセンジャーデータの一部として受信されるものとすること（相違点２）は当業者が適宜なし得る事項にすぎない。
　上記相違点４について検討する。
　引用発明では、履歴プレゼンス情報が時系列に表示され、１つの特定のプレゼンティティークライアントのすべてのプレゼンス情報を表示してもよいことから、履歴プレゼンス情報を、単にプレゼンティティークライアント別に、かつ時系列に整列して表示することは当業者が適宜なし得る事項にすぎない。
　この場合、表示の度に整列するよりも、保存の段階で整列した方が効率的であることは自明である。
　そうすると、引用発明の「履歴プレゼンス情報として保存」する「プレゼンス情報」を、「プレゼンティティークライアント」別及び「時系列」に整列する過程を設けること、すなわち、「前記抽出された状態情報を他の携帯端末別及び時間順に整列する過程」を設け、「前記整列された状態情報を履歴データとして保存する」ことは当業者が容易に想到できたものである。
　上記相違点５について検討する。
　入力信号に応じて処理を行う場合に、入力信号を受信し、該受信に応じて処理を行うことは常套手段であるから、引用発明の「前記プレゼンス情報の取得要求」を入力信号として受信する過程を設けることは当業者が適宜なし得る事項にすぎない。
　また、ユーザーインターフェースに関する技術として、特定の機能を直接呼び出すホットキーを設ける技術は周知（例えば、特開２００９−１０５８７１号公報の段落【００５２】、特表２００１−５２３４０４号公報の第１７頁第２−１６行目参照）であるから、引用発明の「履歴プレゼンス情報」の「表示」機能を直接呼び出すホットキーを設け、該ホットキーを介した表示を可能とすることも当業者が適宜なし得る事項にすぎない。
　そうすると、「前記履歴データを閲覧（ビュー）するための入力信号を受信する過程」を含み、「前記入力信号の受信に応じて前記履歴データを表示部に出力」し、「履歴ヴューワに直接アクセスできるホットキーを介して表示が可能であ」るようにすることは格別困難な事項とは言えない。
　上記相違点６について検討する。
　携帯端末において、プレゼンス情報の提供を受ける相手、又は、メッセージ交換を行う相手をグループに分類して登録する技術は周知（例えば、国際公開第２００５／０６７２７４号の段落［0002］、［0010］、［0014］、［0018］、［0024］、［0029］、特開２００８−１０４１１６号公報の段落【００９５】〜【００９７】参照）である。
　そして、上記相違点１〜３に関して検討したように、引用発明の「プレゼンス情報を提供する方法」を「メッセンジャー機能サポート」のためのものとした場合、上記「グループ」は「メッセンジャーグループ」と呼べるものであることは自明である。
　そうすると、引用発明の「プレゼンティティー」を「メッセンジャーグループ」に分類して登録すること、言い換えれば、「プレゼンティティー」が「ウォッチャークライアント」「によって指定されるメッセンジャーグループに分類される」ようにすることは、当業者が容易に想到し得たものである。
　そして、本願発明が奏する効果も引用発明及び周知技術から容易に予測できる範囲内のものである。
５．むすび
　以上のとおり、本願発明は、引用例に記載された発明及び周知技術に基づいて当業者が容易に発明をすることができたものであるから、特許法第２９条第２項の規定により特許を受けることができない。
　したがって、本願はその余の請求項について論及するまでもなく拒絶すべきものである。
　よって、結論のとおり審決する。